(57)【要約】【課題】寝台装置からボトムの一部を容易に取り外すことができる。【解決手段】寝台装置１０の支持架台１２に取付けられる第１本体フレーム６１と、表裏面が上下方向に向けられた状態で第１本体フレーム６１の上面に載置された第１ボトム部材６２と、第１ボトム部材６２を第１本体フレーム６１に離脱自在に固定する第１固定部材６３と、を備え、第１固定部材６３は、第１ボトム部材６２の上面に配設されている。【選択図】図１
2018114304.tif 000002
【特許請求の範囲】
【請求項１】
寝台装置の本体フレームと、
前記本体フレームの上面に載置されたボトム部材と、
前記ボトム部材を前記本体フレームに離脱自在に固定でき、前記ボトム部材の上面に配設された固定部材と、を備え、
前記ボトム部材は、前記本体フレームの下面に係止する係止部を含み、前記固定部材と前記係止部は互いに対向して配置されていることを特徴とするボトム。
【請求項２】
前記係止部が配設された前記ボトム部材の辺部には、下方に向けて延び、下端部に前記係止部が形成された折曲部が配設され、前記ボトム部材、前記折曲部、及び前記係止部は、互いに一体に形成されていることを特徴とする請求項１に記載のボトム。
【請求項３】
前記本体フレーム及び前記ボトム部材には、上下方向に互いに連通する連通孔が各別に形成され、
前記固定部材は、上下方向に延びる軸体と、前記軸体の上端部に配設されたフランジ部と、を備え、
前記固定部材は、前記フランジ部が前記ボトム部材の上面に配置され、前記軸体が前記本体フレーム及び前記ボトム部材の各連通孔に一体に挿入された状態で、前記ボトム部材を、前記本体フレームに固定していることを特徴とする請求項１または請求項２に記載のボトム。
【請求項４】
前記フランジ部は、前記ボトム部材の上面に載置される下面と、前記下面の外周縁から内側に向かうに従い漸次、上方に向けて延びる突曲面と、を備えることを特徴とする請求項３に記載のボトム。
【請求項５】
ボトムと、
前記ボトムが取付けられた支持架台と、を備える寝台装置であって、
前記ボトムは、請求項１〜４のいずれか１項に記載のボトムであることを特徴とする寝台装置。
【発明の詳細な説明】
【技術分野】
【０００１】
本発明は、ボトム、及び寝台装置に関する。
【背景技術】
【０００２】
従来から、寝台装置本体に取付けられるボトムとして、例えば下記特許文献１に示されるように、表裏面が上下方向を向き、合成樹脂材料により一体に形成され、固定部材により寝台装置に取付けられる構成が知られている。
【先行技術文献】
【特許文献】
【０００３】
【特許文献１】特開２０１４−２１７５１７号公報
【発明の概要】
【発明が解決しようとする課題】
【０００４】
しかしながら、前記従来のボトムにおいては、全体が合成樹脂材料により一体に形成されているので、例えばボトムの上面部分のみを寝台装置本体から取り外して清拭したい場合であっても、ボトム全体を寝台装置本体から取り外す必要があった。
【０００５】
本発明は、前述した事情に鑑みてなされたものであって、寝台装置からボトムの一部を容易に取り外すことができるボトムを提供することを目的とする。
【課題を解決するための手段】
【０００６】
前記課題を解決するために、本発明は以下の手段を提案している。
（１）本発明に係るボトムは、寝台装置の支持架台に取付けられる本体フレームと、表裏面が上下方向に向けられた状態で前記本体フレームの上面に載置されたボトム部材と、前記ボトム部材を前記本体フレームに離脱自在に固定する固定部材と、を備え、前記固定部材は、前記ボトム部材の上面に配設されていることを特徴とする。
【０００７】
この発明では、ボトムが、寝台装置の支持架台に取付けられる本体フレームと、本体フレームの上面に載置されたボトム部材と、を備えている。このため、ボトム部材の上面を例えば清拭する際等に、ボトムのうち、上面を有するボトム部材のみを本体フレームから取り外すことが可能になり、優れた取扱性を具備させることができる。
また、固定部材が、ボトム部材の上面に配設されているので、ボトム部材の上方から固定部材を操作することが可能になり、この操作時に、例えば工具をボトム部材の下方から回り込ませたり、他の部材間の隙間に進入させたりする等の必要がなく、ボトム部材を本体フレームに容易に着脱することができる。
また、例えば本体フレームをパイプ等により形成し、ボトム部材を板金等により形成した場合には、ボトムを射出成形により一体に形成するような場合と比べて、金型製作等の初期費用を抑えることができ、ボトムを安価に製造することができる。
【０００８】
（２）上記（１）に係るボトムであって、前記ボトム部材は、上面視で４つの辺部を有する矩形状を呈し、前記固定部材は、前記４つの辺部のうちの少なくとも１つに配設され、前記４つの辺部のうち、前記固定部材が配設された辺部と異なる辺部には、前記本体フレームの下面に係止する係止部が配設されてもよい。
【０００９】
この場合、ボトム部材の外周縁部における４つの辺部のうちの少なくとも１つの辺部に固定部材が配設されるとともに、他の辺部に、本体フレームの下面に、本体フレームの下面に係止する係止部が配設されている。このため、ボトム部材に、ボトム部材を本体フレームから持ち上げるような外力が加えられた際に、係止部が本体フレームの下面に係止することとなる。これにより、ボトム部材に加えられたこのような外力を、固定部材だけでなく、係止部によっても受け止めさせることができる。その結果、ボトム部材のうち、固定部材の周囲に位置する部分に大きな力がかかるのを抑制することが可能になり、ボトム部材に局所的な変形が生じるのを抑えることができる。
【００１０】
（３）上記（２）に係るボトムであって、前記４つの辺部のうち、前記固定部材が配設された辺部と、前記係止部が配設された辺部と、は、互いに対向してもよい。
【００１１】
この場合、係止部が、ボトム部材の辺部のうち、固定部材が配設された辺部から最も離れた辺部に配設されることになるので、固定部材と係止部との間の距離を大きく確保することできる。このため、ボトム部材のうち、固定部材が配設された辺部から最も離れた辺部に、ボトム部材を本体フレームから持ち上げるような外力が加えられた際には、固定部材周りに発生する回転モーメントを係止部が受けることで、係止部に生じる反力を小さくすることが可能になる。これにより、確実にボトム部材を本体フレームに係止することができる。
【００１２】
（４）上記（２）又は（３）に係るボトムであって、前記４つの辺部のうち、前記係止部が配設された辺部には、下方に向けて延び、下端部に前記係止部が形成された折曲部が配設され、前記ボトム部材、前記折曲部、及び前記係止部は、互いに一体に形成されてもよい。
【００１３】
この場合には、折曲部及び係止部を、例えばボトム部材に曲げ加工を施すことにより形成することができ、ボトム部材を安価に製造することができる。
【００１４】
（５）上記（１）から（４）のいずれか１つに係るボトムであって、前記本体フレーム及び前記ボトム部材には、上下方向に互いに連通する連通孔が各別に形成され、前記固定部材は、上下方向に延びる軸体と、前記軸体の上端部に配設されたフランジ部と、を備え、前記固定部材は、前記フランジ部が前記ボトム部材の上面に配置され、前記軸体が前記本体フレーム及び前記ボトム部材の各連通孔に一体に挿入された状態で、前記ボトム部材を、前記本体フレームに固定してもよい。
【００１５】
この場合、軸体を、本体フレーム及びボトム部材に、各別に形成された連通孔に一体に挿入するとともに、フランジ部をボトム部材の上面に配置することで、ボトム部材を本体フレームに固定することができる。これにより、ボトム部材を本体フレームに着脱する際に、ボトム部材の上面から上方に突出したフランジ部を操作することが可能になり、この着脱操作を容易に行うことができる。
【００１６】
（６）上記（１）から（５）のいずれか１つに係るボトムであって、前記フランジ部は、前記ボトム部材の上面に載置される下面と、前記下面の外周縁から内側に向かうに従い漸次、上方に向けて延びる突曲面と、を備えてもよい。
【００１７】
この場合、ボトム部材の上面に載置される固定部材の下面の外周縁部から、突曲面が接続されているので、固定部材におけるフランジ部の外周縁と、ボトム部材の上面と、の間に段差が生ずるのを抑制することが可能になり、このような段差に物などが引っ掛かるのを抑制することができる。
【００１８】
（７）本発明に係る寝台装置は、ボトムと、前記ボトムが取付けられた支持架台と、を備える寝台装置であって、前記ボトムは、上記（１）から（６）のいずれか１つに係るボトムであることを特徴とする。
【００１９】
この場合、寝台装置が上記のボトムを備えているので、寝台装置において上記の作用効果を奏功させることができる。
【００２０】
（８）本発明に係る寝台装置は、上記（７）に係る寝台装置であって、前記ボトムは、前記ボトム部材の表裏面が、前後方向に向かうに従い漸次、上下方向に延びるように水平方向に対して傾斜可能に、前記支持架台に支持され、前記ボトム部材は、上面視で前後方向に延びる２つの辺部、及び左右方向に延びる２つの辺部を有する矩形状を呈し、前記左右方向に延びる２つの辺部のうち、前記ボトム部材が傾斜した際に上方に位置する辺部には、前記本体フレームの下面に係止する係止部が配設されてもよい。
【００２１】
この場合、係止部が、ボトム部材の外周縁部における２つの左右方向に延びる辺部のうち、ボトム部材の表裏面を水平方向に対して傾斜させた際に、上方に位置する辺部に配設されている。このため、ボトム部材の表裏面が水平方向に対して傾斜したことにより、本体フレームの上面で支えることができないボトム部材の自重を、固定部材だけでなく、係止部にも受け止めさせることができ、固定部材にかかる負荷を抑えることができる。
【発明の効果】
【００２２】
本発明によれば、寝台装置からボトムの一部を容易に取り外すことができる。
【図面の簡単な説明】
【００２３】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図２に示す寝台装置において寝台を上昇させた状態を示す側面図である。
【図６】図１に示す寝台装置において背ボトム及び脚ボトムを回動させた状態を示す斜視図である。
【図７】図１に示す寝台装置の背ボトムの斜視図である。
【図８】図１に示す寝台装置の背ボトムの本体フレームを示す斜視図である。
【図９】図７に示す背ボトムのボトム部材において（ａ）表面の斜視図（ｂ）裏面の斜視図である。
【図１０】図１に示す寝台装置の背ボトムの固定部材を示す斜視図である。
【図１１】図１に示す寝台装置の変形例を示す斜視図である。
【図１２】図１１に示す寝台装置において背ボトム及び脚ボトムを回動させた状態を示す斜視図である。
【図１３】図１に示す寝台装置の使用状態を示す斜視図である。
【発明を実施するための形態】
【００２４】
本発明の一実施形態に係る寝台装置１０を、図１から図１３に基づいて以下に説明する。
寝台装置１０は、例えば、医療環境下（介護環境下を含む）において、一般床ベッドやＩＣＵベッド等として利用することができる。図１から図１３において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向Ｘに対して直交する水平方向を左右方向Ｙと言う場合が有る。前後方向Ｘ及び左右方向Ｙは、いずれも水平方向に沿う方向であるとともに、互いに直交する方向である。
【００２５】
図１から図６に示すように、寝台装置１０は、寝台装置本体１７と、寝台装置本体１７の外周縁部に複数立設された壁状部材１８と、を備えている。寝台装置本体１７は、寝台１１と、支持架台１２と、寝台用オプション１５と、駆動機構１６と、を備え、壁状部材１８は、柵体１３と、ボード１４と、を備えている。寝台装置１０は、電力を動力源とするいわゆる電動ベッドである。
寝台１１は、上面視した場合に左右方向Ｙよりも前後方向Ｘに長い。寝台１１の長手方向は前後方向Ｘとされ、寝台１１の短手方向は左右方向Ｙとなっている。寝台１１上には、図１３に示すようにマットレス８０が配置される。寝台１１には、マットレス８０を介して使用者が横たわる。
【００２６】
寝台１１は、背ボトム２１と、腰ボトム２２と、脚ボトム２３と、を備えている。これらの背ボトム２１、腰ボトム２２及び脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
脚ボトム２３は、膝ボトム２４と、足ボトム２５と、を備えている。これらの膝ボトム２４及び足ボトム２５は、頭側Ｈから足側Ｆに向けてこの順に並んでいる。膝ボトム２４は、使用者の膝から腰を支える。足ボトム２５は、使用者の膝から足先を支える。
【００２７】
支持架台１２は、寝台１１を支持する。支持架台１２は、寝台１１、及び寝台１１上の使用者それぞれの荷重を受け止める。図２及び図４に示すように、支持架台１２は、ベースフレーム３１と、メインフレーム３２と、昇降機構３３と、を備えている。
ベースフレーム３１は、接地面に接地される。ベースフレーム３１は、平面視において矩形状をなす。ベースフレーム３１は、前後方向Ｘに延びる第１縦部材３４と、左右方向Ｙに延びる第１横部材３５と、接地面に接地する接地部３６と、を備えている。
【００２８】
第１縦部材３４は、左右方向Ｙに間隔をあけて一対設けられている。
第１横部材３５は、左右一対の第１縦部材３４間に架設されている。第１横部材３５は、左右一対の第１縦部材３４を左右方向Ｙに連結している。第１横部材３５は、前後方向Ｘに間隔をあけて一対設けられている。第１横部材３５は、第１縦部材３４に移動不能に固定されている。第１横部材３５は、第１縦部材３４に例えば溶接等により固着されている。
【００２９】
接地部３６は、第１縦部材３４の前後方向Ｘの端部に設けられている。第１縦部材３４の前後方向Ｘの端部は、第１横部材３５よりも前後方向Ｘの外側に突出している。なお図示の例では、接地部３６として、キャスターを採用することで寝台装置本体１７を移動自在としているが、キャスターに代えてゴムカバーを採用することも可能である。また、キャスターとして、帯電防止キャスターを採用してもよい。
【００３０】
メインフレーム３２は、寝台１１を支持する。メインフレーム３２は、平面視において矩形状をなす。メインフレーム３２は、前後方向Ｘに延びる第２縦部材３７と、左右方向Ｙに延びる第２横部材３８と、寝台用オプション１５を取付けるオプション受け３９と、を備えている。
【００３１】
第２縦部材３７は、左右方向Ｙに間隔をあけて一対設けられている。
第２横部材３８は、左右一対の第２縦部材３７を左右方向Ｙに連結している。第２横部材３８は、前後方向Ｘに間隔をあけて一対設けられている。第２横部材３８は、第２縦部材３７に移動不能に固定されている。第２横部材３８は、第２縦部材３７に例えば溶接等により固着されている。第２横部材３８の左右方向Ｙの端部は、第２縦部材３７よりも左右方向Ｙに突出している。
オプション受け３９は、第２横部材３８の左右方向Ｙの端部に設けられている。
【００３２】
図４及び図５に示すように、昇降機構３３は、メインフレーム３２をベースフレーム３１に対して昇降自在に連結する。昇降機構３３は、前後一対の昇降ユニット４０を備えている。一対の昇降ユニット４０は、腰ボトム２２を前後方向Ｘに挟むように配置されている。各昇降ユニット４０は、左右一対のリンク機構４１と、左右一対のリンク機構４１を連結する連結部材４２と、を備えている。前後一対の昇降ユニット４０が並行に作動することで、昇降機構３３が寝台１１を昇降させる。
【００３３】
図１及び図６に示すように、支持架台１２は、背ボトム２１及び脚ボトム２３（可動ボトム）を、左右方向Ｙに延びる回動軸２６回りに回動自在に支持している。寝台装置１０は、いわゆるギャッチベッドとなっている。本実施形態では、腰ボトム２２が支持架台１２に固定され、背ボトム２１及び脚ボトム２３が、回動軸２６を介して腰ボトム２２に回動自在に連結されている。
【００３４】
回動軸２６は、背ボトム２１と腰ボトム２２とを連結する第１回動軸２６ａと、脚ボトム２３と腰ボトム２２とを連結する第２回動軸２６ｂと、を備えている。
なお、膝ボトム２４と足ボトム２５とは、左右方向Ｙに延びる屈曲軸２７回りに回動自在に連結されている。そのため、脚ボトム２３が第２回動軸２６ｂ回りに回動すると、屈曲軸２７が頂点をなすように、脚ボトム２３が上方に向けて屈曲する。
【００３５】
ボード１４は、寝台装置本体１７の外周縁部であって、支持架台１２における前後方向Ｘの端部に、寝台装置本体１７の外周縁部に沿って延びるように立設されている。ボード１４は、表裏面が前後方向Ｘを向く板状に形成されている。ボード１４は、支持架台１２に着脱自在に装着されている。ボード１４は、頭側Ｈに位置するヘッドボード１４ａと、足側Ｆに位置するフットボード１４ｂと、を備えている。図示の例ではボード１４は、第２横部材３８に取付けられており、ボード１４の左右方向Ｙの端部は、オプション受け３９よりも左右方向Ｙの内側に位置している。
【００３６】
柵体１３は、寝台装置本体１７の外周縁部であって、支持架台１２における左右方向Ｙの端部に、寝台装置本体１７の外周縁部に沿って延びるように配置されている。本実施形態では、柵体１３は、支持架台１２に対して左右方向Ｙの両側に配置されている。柵体１３は、前後方向Ｘに間隔をあけて一対、設けられている。柵体１３は、支持架台１２に昇降自在に連結されている。
【００３７】
柵体１３は、前後方向Ｘに沿う頭側Ｈに偏って配置されている。寝台装置１０を左右方向Ｙから見た側面視において、柵体１３は、ヘッドボード１４ａに対して近接し、フットボード１４ｂに対して離間している。
寝台用オプション１５は、オプション受け３９に着脱自在に装着されている。本実施形態では、寝台用オプション１５としてスペーサ１５ａが備えられている。スペーサ１５ａは、複数の壁状部材１８間の隙間を埋める補助柵であり、前記側面視における柵体１３とフットボード１４ｂとの間の空間を塞いでいる。
【００３８】
図４に示すように、駆動機構１６は、支持架台１２に取付けられる。駆動機構１６は、複数設けられている。複数の駆動機構１６は、寝台１１の下方に配置されている。駆動機構１６は、寝台１１及び支持架台１２のうちの少なくとも一部である可動部を移動させる。駆動機構１６は、前後方向Ｘに伸縮する直動アクチュエータとされ、前後方向Ｘに伸縮することで前記可動部を移動させる。
【００３９】
駆動機構１６は、可動部としての寝台１１を昇降させる昇降駆動機構５１と、可動部としての背ボトム２１または脚ボトム２３を回動させる回動駆動機構５２と、を備えている。
昇降駆動機構５１は、昇降機構３３に駆動力を伝達してメインフレーム３２をベースフレーム３１に対して昇降させる。昇降駆動機構５１は、複数設けられている。昇降駆動機構５１は、前後方向Ｘに一対設けられている。一対の昇降駆動機構５１は、寝台１１における左右方向Ｙの中央部に配置されている。
【００４０】
各昇降駆動機構５１の前後方向Ｘの両端部は、メインフレーム３２と、昇降ユニット４０と、にそれぞれ取付けられている。頭側Ｈの昇降駆動機構５１では、頭側Ｈの端部が、頭側Ｈの昇降ユニット４０に取付けられ、足側Ｆの端部が、メインフレーム３２に取付けられている。足側Ｆの昇降駆動機構５１では、足側Ｆの端部が、足側Ｆの昇降ユニット４０に取付けられ、頭側Ｈの端部が、メインフレーム３２に取付けられている。
【００４１】
回動駆動機構５２は、背ボトム２１を回動させる第１駆動機構５３と、脚ボトム２３を回動させる第２駆動機構５４と、を備えている。第１駆動機構５３及び第２駆動機構５４は、昇降駆動機構５１を左右方向Ｙに挟むように配置されている。各回動駆動機構５２の前後方向Ｘの両端部は、支持架台１２と、背ボトム２１または脚ボトム２３と、にそれぞれ取付けられている。
【００４２】
図７に示すように、背ボトム２１は、寝台装置１０の支持架台１２に取付けられる第１本体フレーム６１と、表裏面が上下方向Ｚに向けられた状態で、第１本体フレーム６１の上面に載置された第１ボトム部材６２と、第１ボトム部材６２を第１本体フレーム６１に離脱自在に固定する第１固定部材６３と、を備えている。
また同様に、図１に示すように、腰ボトム２２は、第２本体フレーム７１、第２ボトム部材７２、及び第２固定部材７３を備えている。また、脚ボトム２３のうち、膝ボトム２４は、第３本体フレーム８１、第３ボトム部材８２、及び第３固定部材８３を備え、足ボトム２５は、図示しない第４本体フレーム９１、第４ボトム部材９２、及び第４固定部材９４（図３参照）を備えている。
以下、背ボトム２１について第１本体フレーム６１、第１ボトム部材６２、及び第１固定部材６３の構造を説明する。
【００４３】
図８に示すように、第１本体フレーム６１は、上面視で矩形状を呈する枠状部材である。第１本体フレーム６１は、左右方向Ｙに間隔をあけて配設されるとともに、前後方向Ｘに延びる一対の縦フレーム部６１ａと、一対の縦フレーム部６１ａの頭側Ｈの端部同士を連結し、左右方向Ｙに延びる横フレーム部６１ｂと、一対の縦フレーム部６１ａにおける足側Ｆの端部同士を連結し、左右方向Ｙに延びる支持フレーム部６１ｄと、を備えている。
【００４４】
一対の縦フレーム部６１ａ及び横フレーム部６１ｂは、互いに一体に形成されている。
一対の縦フレーム部６１ａ及び横フレーム部６１ｂは、それぞれが延びる方向に直交する断面視で、矩形状を呈する筒状に形成されている。一対の縦フレーム部６１ａと横フレーム部６１ｂとの接続部分はそれぞれ、寝台装置１０の外側に向けて突の曲面状に形成されている。一対の縦フレーム部６１ａ及び横フレーム部６１ｂの外表面のうち、上方を向く上面の幅寸法は、全域にわたって同等となっている。
【００４５】
支持フレーム部６１ｄは、左右方向Ｙに直交する断面視で矩形状を呈する筒状に形成されている。支持フレーム部６１ｄのうち、左右方向Ｙの一方側に位置する部分には、第１駆動機構５３が取り付けられる連結体５５が配設されている。連結体５５は、支持フレーム部６１ｄの外表面のうち、下方を向く下面及び足側Ｆを向く後面に跨って一体に接続され、足側Ｆに向かうに従って、漸次下方に向けて延びている。
【００４６】
支持フレーム部６１ｄの上面における幅寸法は、一対の縦フレーム部６１ａ及び横フレーム部６１ｂの上面における幅寸法よりも大きくなっている。支持フレーム部６１ｄの上面における左右方向Ｙの中央部には、支持フレーム部６１ｄの上面を上下方向Ｚに貫通するフレーム連通孔６１ｅが形成されている。
支持フレーム部６１ｄの左右方向Ｙの両端部には、第１回動軸２６ａに連結される回動部材５６が各別に配設されている。
【００４７】
第１本体フレーム６１には、支持フレーム部６１ｄと、横フレーム部６１ｂと、を接続し、前後方向Ｘに延びる補強フレーム部６１ｇ、６１ｈが複数配設されている。補強フレーム部６１ｇ、６１ｈは、第１本体フレーム６１における左右方向Ｙの中央部に位置する第１補強フレーム部６１ｇと、左右方向Ｙの外側に位置する一対の第２補強フレーム部６１ｈと、を備えている。一対の第２補強フレーム部６１ｈと、これらそれぞれの左右方向Ｙの外側に位置する縦フレーム部６１ａと、の間に、複数の連結板６４が配設されている。
【００４８】
図９に示すように、第１ボトム部材６２は、上面視で４つの辺部を有する矩形状を呈する板状に形成されている。第１ボトム部材６２は例えば板金等により形成され、表裏面が上下方向Ｚを向いている。第１ボトム部材６２の表裏面には、この表裏面を貫通する複数の長孔６２ａが形成されている。第１ボトム部材６２の頭側Ｈの端部における左右方向Ｙの両端部には、左右方向Ｙの内側及び足側Ｆに向けて切り欠かれた切り欠き部６２ｂが各別に形成されている。
【００４９】
切り欠き部６２ｂは、第１ボトム部材６２の左右方向Ｙの両端部に位置する辺部において、頭側Ｈの端部から左右方向Ｙの内側に延びる横縁６２ｐと、第１ボトム部材６２の頭側Ｈに位置する辺部において、左右方向Ｙの両端部から足側Ｆに延びる縦縁６２ｑと、横縁６２ｐと縦縁６２ｑとを接続する接続縁６２ｒと、により形成されている。図７に示すように、切り欠き部６２ｂは、第１本体フレーム６１における一対の縦フレーム部６１ａと横フレーム部６１ｂとの接続部分の内側と、上下方向Ｚで連通している。
【００５０】
図９に示すように、第１ボトム部材６２の外周縁は、下方に向けて屈曲している。このため、第１ボトム部材６２を第１本体フレーム６１に載置する際に、第１ボトム部材６２の外周縁内に、第１本体フレーム６１の外側面をはめ込むことで、第１本体フレーム６１に対して、第１ボトム部材６２を位置決めすることができる。
第１ボトム部材６２の外周縁部における４つの辺部のうち、足側Ｆに位置する部分における左右方向Ｙの中央部には、第１ボトム部材６２を上下方向Ｚに貫通するボトム連通孔６２ｃが形成されている。
【００５１】
そして本実施形態では、図１に示すように、第１固定部材６３は、第１ボトム部材６２の上面に配設されている。第１固定部材６３は、図１０に示すように、上下方向Ｚに延びる軸体６３ａと、軸体６３ａの上端部に配設された環状のフランジ部６３ｂと、を備えている。第１固定部材６３は合成樹脂材料により形成されている。軸体６３ａ及びフランジ部６３ｂは互いに別体とされ、フランジ部６３ｂ内に軸体６３ａが挿入されている。
第１固定部材６３は、フランジ部６３ｂが第１ボトム部材６２の上面に配置され、軸体６３ａが、第１本体フレーム６１のフレーム連通孔６１ｅ、及び第１ボトム部材６２のボトム連通孔６２ｃに一体に挿入されることで、第１ボトム部材６２を、第１本体フレーム６１に固定する。軸体６３ａは頭部に十字溝が形成された雄ねじ部材となっている。
【００５２】
また本実施形態では、フランジ部６３ｂは、下方を向いて第１ボトム部材６２の上面に載置される下面と、下面の外周縁から内側に向かうに従い漸次、上方に向けて延びる突曲面６３ｃと、により構成されている。
フランジ部６３ｂの下面の内周縁部には、下方に向けて延び、フランジ部６３ｂの径方向に弾性変形可能な係止片６３ｄが形成されている。係止片６３ｄは、フランジ部６３ｂの周方向に間隔をあけて複数形成されている。係止片６３ｄには、径方向の内側に向けて突出し、軸体６３ａの雄ねじ部と係合する不図示の突起が形成されている。
【００５３】
フランジ部６３ｂの上面における内周縁部には、下方に向けて窪み、軸体６３ａの頭部が収容されるザグリ穴６３ｅが形成されている。軸体６３ａをフランジ部６３ｂ内に挿入することで、係止片６３ｄが径方向の外側に向けて弾性変形し、係止片６３ｄの外面がボトム連通孔６２ｃ及びフレーム連通孔６１ｅの各内周面に密接する。軸体６３ａの頭部がフランジ部６３ｂのザグリ穴６３ｅに収容された状態において、フランジ部６３ｂの上面と、軸体６３ａの頭部の上面と、は上下方向Ｚの段差なく連なっている。
また、軸体６３ａの頭部を軸体６３ａの中心軸回りに回転させることで、係止片６３ｄの前記突起が軸体６３ａのねじ溝に沿って相対移動し、これにより軸体６３ａがフランジ部６３ｂから上下方向Ｚに移動し、第１固定部材６３を取り外すことができる。
【００５４】
そして本実施形態では、図９に示すように、第１ボトム部材６２の外周縁部における４つの辺部のうち、第１固定部材６３が配設された辺部と異なる辺部には、第１本体フレーム６１の下面に、第１本体フレーム６１の下面に係止する第１係止部６５が配設されている。第１係止部６５は、第１ボトム部材６２の外周縁部における４つの辺部のうち、横フレーム部６１ｂに載置される辺部に配設されている。第１係止部６５は、この辺部の左右方向Ｙの全長にわたって配設されている。
【００５５】
第１ボトム部材６２の外周縁部における４つの辺部のうち、第１固定部材６３が配設された辺部と、第１係止部６５が配設された辺部と、は、互いに対向している。図示の例では、第１固定部材６３が配設された辺部と、第１係止部６５が配設された辺部と、は、前後方向Ｘに互いに対向している。
第１ボトム部材６２の外周縁部における４つの辺部のうち、第１係止部６５が配設された辺部には、下方に向けて延び、下端部に第１係止部６５が形成された折曲部６６が配設されている。折曲部６６は、この辺部の左右方向Ｙの全長にわたって配設されている。前述した第１ボトム部材６２の４つの外周縁における屈曲部分のうちの１つが、折曲部６６とされている。
【００５６】
第１ボトム部材６２の下面、及び第１係止部６５は、上下方向Ｚで互いに対向し、第１ボトム部材６２、折曲部６６、及び第１係止部６５は、互いに一体に形成されている。折曲部６６、及び第１係止部６５は、曲げ加工により形成される。長孔６２ａ、及び切り欠き部６２ｂは、金型を用いた加工やレーザ加工により形成される。
【００５７】
また本実施形態では、図６に示すように、背ボトム２１、腰ボトム２２、膝ボトム２４、及び足ボトム２５は、支持架台１２に前後方向Ｘに複数並べられて配設され、背ボトム２１、膝ボトム２４、及び足ボトム２５は、各ボトム部材６２、８２、９２の表裏面が、前後方向Ｘに向かうに従い漸次、上下方向Ｚに延びるように水平方向に対して傾斜可能に支持されている。すなわち、背ボトム２１は、頭側Ｈに向かうに従い漸次、上方に延びるように傾斜し、膝ボトム２４は、足側Ｆに向かうに従い漸次、上方に延びるように傾斜する、また、足ボトム２５は、頭側Ｈに向かうに従い漸次、上方に延びるように傾斜する。
【００５８】
そして本実施形態では、各ボトム部材６２、８２、９２における各係止部６５、８５、９５は、各ボトム部材６２、８２、９２の外周縁部における２つの左右方向に延びる辺部のうち、各ボトム部材６２、８２、９２の表裏面が水平方向に対して傾斜した際に、上方に位置する辺部に配設されている。
すなわち、背ボトム２１における第１係止部６５は、第１本体フレーム６１における横フレーム部６１ｂに配設されている。また、膝ボトム２４における第３係止部８５は、第３本体フレーム８１における足側Ｆの辺部に配設されている。また、足ボトム２５における第４係止部９５は、第４本体フレーム９１（図２参照）における頭側Ｈの辺部に配設されている。
【００５９】
次に、寝台装置１０の変形例について説明する。
図１１及び図１２に示すように、変形例の寝台装置２０では、足側Ｆに位置するフットボード１４ｂに記録台９７が配設されている。記録台９７は、フットボード１４ｂに取付けられた回動軸９７ａによって、表裏面を足側Ｆに向けて回動させることで、不使用時には、フットボード１４ｂに沿って収納することができる。
【００６０】
寝台装置２０では、アシストバー９６が配設されている。使用者が寝台１１から立ち上がる際に、アシストバー９６に体重をかけることで、容易に立ち上がることができる。
寝台装置２０では、使用者の足元を照らす図示しないフットライトが支持架台１２の下面に配設されている。
寝台装置２０では、図１２に示すように、膝ボトム２４が、足側Ｆに向かうに従い漸次、上方に延びるように傾斜した際に、足ボトム２５を水平方向に対して傾斜させずに昇降させることができる。
【００６１】
以上説明したように、本実施形態に係るボトムによれば、背ボトム２１が、寝台装置１０の支持架台１２に取付けられる第１本体フレーム６１と、第１本体フレーム６１の上面に載置された第１ボトム部材６２と、を備えている。このため、第１ボトム部材６２の上面を例えば清拭する際等に、背ボトム２１のうち、上面を有する第１ボトム部材６２のみを第１本体フレーム６１から取り外すことが可能になり、優れた取扱性を具備させることができる。
【００６２】
また、第１固定部材６３が、第１ボトム部材６２の上面に配設されているので、第１ボトム部材６２の上方から第１固定部材６３を操作することが可能になり、この操作時に、例えば工具を第１ボトム部材６２の下方から回り込ませたり、他の部材間の隙間に進入させたりする等の必要がなく、第１ボトム部材６２を第１本体フレーム６１に容易に着脱することができる。
また、例えば第１本体フレーム６１をパイプ等により形成し、第１ボトム部材６２を板金等により形成した場合には、背ボトム２１を合成樹脂材料の射出成形により一体に形成するような場合と比べて、金型製作等の初期費用を抑えることができ、背ボトム２１を安価に製造することができる。
【００６３】
また、第１ボトム部材６２の外周縁部における４つの辺部のうちの少なくとも１つの辺部に第１固定部材６３が配設されるとともに、他の辺部に、第１本体フレーム６１の下面に、第１本体フレーム６１の下面に係止する第１係止部６５が配設されている。このため、第１ボトム部材６２に、第１ボトム部材６２を第１本体フレーム６１から持ち上げるような外力が加えられた際に、第１係止部６５が第１本体フレーム６１の下面に係止することとなる。これにより、第１ボトム部材６２に加えられたこのような外力を、第１固定部材６３だけでなく、第１係止部６５によっても受け止めさせることができる。その結果、第１ボトム部材６２のうち、第１固定部材６３の周囲に位置する部分に大きな力がかかるのを抑制することが可能になり、第１ボトム部材６２に局所的な変形が生じるのを抑えることができる。
【００６４】
また、第１係止部６５が、第１ボトム部材６２の辺部のうち、第１固定部材６３が配設された辺部から最も離れた辺部に配設されることになるので、第１固定部材６３と第１係止部６５との間の距離を大きく確保することできる。このため、第１ボトム部材６２のうち、第１固定部材６３が配設された辺部から最も離れた辺部に、第１ボトム部材６２を第１本体フレーム６１から持ち上げるような外力が加えられた際には、第１固定部材６３周りに発生する回転モーメントを第１係止部６５により受けることで、第１係止部６５に生じる反力を小さくすることが可能になる。これにより、確実に第１ボトム部材６２を第１本体フレーム６１に係止することができる。
【００６５】
また、折曲部６６及び第１係止部６５を、例えば第１ボトム部材６２に曲げ加工を施すことにより形成することができ、第１ボトム部材６２を安価に製造することができる。
また、軸体６３ａを、第１本体フレーム６１及び第１ボトム部材６２に、各別に形成されたフレーム連通孔６１ｅ、及びボトム連通孔６２ｃに一体に挿入するとともに、フランジ部６３ｂを第１ボトム部材６２の上面に配置することで、第１ボトム部材６２を第１本体フレーム６１に固定することができる。これにより、第１ボトム部材６２を第１本体フレーム６１に着脱する際に、第１ボトム部材６２の上面から上方に突出したフランジ部６３ｂを操作することが可能になり、この着脱操作を容易に行うことができる。
【００６６】
また、第１ボトム部材６２の上面に載置される第１固定部材６３の下面の外周縁部から、突曲面６３ｃが接続されているので、第１固定部材６３におけるフランジ部６３ｂの外周縁と、第１ボトム部材６２の上面と、の間に段差が生ずるのを抑制することが可能になり、このような段差に物などが引っ掛かるのを抑制することができる。
また、寝台装置１０が背ボトム２１を備えているので、寝台装置１０において上記の作用効果を奏功させることができる。
【００６７】
また、第１係止部６５が、第１ボトム部材６２の外周縁部における２つの左右方向に延びる辺部のうち、第１ボトム部材６２の表裏面を水平方向に対して傾斜させた際に、上方に位置する辺部に配設されている。このため、第１ボトム部材６２の表裏面が水平方向に対して傾斜したことにより、第１本体フレーム６１の上面で支えることができない第１ボトム部材６２の自重を、第１固定部材６３だけでなく、第１係止部６５にも受け止めさせることができ、第１固定部材６３にかかる負荷を抑えることができる。
なお、上記した各作用効果は、背ボトム２１に限られず、他のボトムにおいても奏功することができる。
【００６８】
なお、本発明の技術的範囲は前記実施形態に限定されるものではなく、本発明の趣旨を逸脱しない範囲において種々の変更を加えることが可能である。
例えば、上記実施形態では、第１ボトム部材６２が上面視で矩形状を呈する板状に形成された構成を示したが、このような態様に限られない。第１ボトム部材は上面視で矩形状以外の形状を呈してもよい。
【００６９】
また、上記実施形態では、第１ボトム部材６２の辺部のうち、第１固定部材６３が配設された辺部と異なる辺部に、第１係止部６５が配設された構成を示したが、このような態様に限られない。第１ボトム部材に第１係止部が配設されていなくてもよい。
また、上記実施形態では、第１固定部材が第１ボトム部材６２に１つ配設された構成を示したが、このような態様に限られない。固定部材はボトム部材に複数配設されてもよい。
また、上記実施形態では、第１固定部材６３が配設された辺部と、第１係止部６５が配設された辺部と、が互いに対向している構成を示したが、このような態様に限られない。
第１係止部と第１固定部材とは、互いに対向していなくてもよいし、同じ辺部に配置されてもよい。
【００７０】
また、上記実施形態では、第１固定部材６３は軸体６３ａとフランジ部６３ｂとを備え、フランジ部６３ｂが、下面と突曲面６３ｃとにより形成された構成を示したが、このような態様に限られない。例えば、第１固定部材は単なる雄ねじ部材等であってもよいし、フランジ部が突曲面により形成されていなくてもよい。また、第１固定部材は金属材料により形成された部材であってもよい。
なお、上記した変形例は、背ボトム２１に限られず、他のボトムにおいても適用することができる。
【００７１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７２】
１０  寝台装置
２１  背ボトム（ボトム）
６１  第１本体フレーム（本体フレーム）
６１ｅ  フレーム連通孔
６２  第１ボトム部材
６２ｃ  ボトム連通孔
６３  第１固定部材
６３ａ  軸体
６３ｂ  フランジ部
【図１】
2018114304.tif 000003
【図２】
2018114304.tif 000004
【図３】
2018114304.tif 000005
【図４】
2018114304.tif 000006
【図５】
2018114304.tif 000007
【図６】
2018114304.tif 000008
【図７】
2018114304.tif 000009
【図８】
2018114304.tif 000010
【図９】
2018114304.tif 000011
【図１０】
2018114304.tif 000012
【図１１】
2018114304.tif 000013
【図１２】
2018114304.tif 000014
【図１３】
2018114304.tif 000015